(57)【要約】【課題】脚載置部が前方へ突出した状態である場合に、着座動作を容易とさせる椅子型マッサージ機を提供する。【解決手段】座部１と、この座部１の左右両側に設けられている肘掛け部４と、椅子前部に回動可能に設けられている脚載置部３とを備えている。脚載置部３は、座部１の上方かつ両肘掛け部４の間に収容される収容状態から、座部１の前方へ突出状とされる展開状態に変化可能とされている。肘掛け部４の上面４ａが座部１の上面１ａよりも高い位置にある状態が通常状態とされている。脚載置部３が展開状態において、肘掛け部４は、その上面４ａが座部１の上面１ａとほぼ同じ高さ位置となるまで降下可能とされている。【選択図】      図１
2007020790.tif 000002
【特許請求の範囲】
【請求項１】
座部と、この座部の左右両側に設けられている肘掛け部と、マッサージ機構を有すると共に前記座部の前部から前方に突出状となることができる脚載置部と、を備え、前記肘掛け部の上面が前記座部の上面よりも高い位置にある状態が当該肘掛け部の通常状態とされている椅子型マッサージ機であって、前記脚載置部が前方に突出状とされた状態において、前記肘掛け部は、その上面が前記通常状態よりも低い位置となるように降下可能とされていることを特徴とする椅子型マッサージ機。
【請求項２】
前記脚載置部は、椅子前部に回動可能に設けられていることによって、前記座部の上方かつ前記両肘掛け部の間に収容される収容状態と、前記座部の前部から前方に突出状とされる展開状態とに変化可能とされている請求項１に記載の椅子型マッサージ機。
【請求項３】
前記脚載置部が前方に突出した状態において、前記肘掛け部は、その少なくとも前部における上面の高さ位置が前記座部の上面の高さ位置以下となるまで降下可能とされている請求項１又は２に記載の椅子型マッサージ機。
【請求項４】
前記通常状態において、前記肘掛け部の少なくとも前部における上面の高さ位置は、収容状態にある前記脚載置部の上面の高さ位置以下とされている請求項２に記載の椅子型マッサージ機。
【請求項５】
前記肘掛け部と椅子本体部側との間にバネ部材が介在しており、当該肘掛け部は当該バネ部材の弾性力に抗して押し下げられることによって降下可能とされており、かつ、前記バネ部材の弾性力によって前記肘掛け部は前記通常状態に復帰できる請求項１〜４のいずれか一項に記載の椅子型マッサージ機。
【請求項６】
前記肘掛け部は前後方向に分割されて複数の肘掛けセグメントから構成されており、少なくとも一つの肘掛けセグメントが降下可能とされている請求項１〜５のいずれか一項に記載の椅子型マッサージ機。
【請求項７】
前記肘掛け部は、その上面が前記通常状態よりも高い位置となるように上昇可能とされている請求項１〜６のいずれか一項に記載の椅子型マッサージ機。
【請求項８】
前記肘掛け部は前後方向に分割されて複数の肘掛けセグメントから構成されており、少なくとも一つの肘掛けセグメントが上昇可能とされている請求項７に記載の椅子型マッサージ機。
【発明の詳細な説明】
【技術分野】
【０００１】
この発明は、座部の前部から前方へ突出状となることができる脚載置部を備えている椅子型マッサージ機に関する。
【背景技術】
【０００２】
椅子型マッサージ機としては、座部と、椅子後部に設けられている背もたれ部と、椅子前部に設けられている脚載置部（フットレスト）と、座部の左右両側に設けられている肘掛け部とを有しているものがある。このような椅子型マッサージ機において、使用者に対してマッサージを施すことができるマッサージ機構は、背もたれ部をはじめ、座部、肘掛け部などに適宜配置されるが、さらに脚載置部にもマッサージ機構を設けたものがある。
マッサージ機構としては、例えば、モータなどによって動作する施療子（揉み玉）が使用者の背中などをマッサージするものや、空気の給排によって膨張収縮するエアセルが使用者の脚などをマッサージするものがある。
このような椅子型マッサージ機において、脚載置部が椅子前部において上下回動可能に取り付けられているものがある。この椅子型マッサージ機は、脚載置部が下がって下方垂れ下がり状態となり、また、脚載置部が上がって座部の前部から前方へ突出状となることができる。
また、脚載置部が前方へ突出状となることのできる椅子型マッサージ機としては、省スペース化を図るために、この脚載置部を脚のマッサージに使用しない場合には座部上に当該脚載置部を収容できるものが提案されている（例えば、特許文献１）。この椅子型マッサージ機は、脚載置部を脚マッサージに使用する場合には、脚載置部が座部の前方に突出状態となるように当該脚載置部を回動させて展開し、この脚載置部の脚載置面に使用者の脚が載せられることとなる。そして、脚マッサージに使用しない場合には、脚載置部を回動させて脚載置面が下を向いた状態に裏返して座部の上に収容させると脚載置部の収容状態となる。よって、収容状態は脚載置面の裏面が上を向いた状態となり、その裏面に使用者が着座し、椅子として使用できる。
【０００３】
【特許文献１】特開平９−２６６９３３号公報
【発明の開示】
【発明が解決しようとする課題】
【０００４】
このような前記２種類の椅子型マッサージ機において、脚載置部が前方へ突出した状態では、肘掛け部の上面が座部の座面（上面）よりも高い位置とされている。従って、この状態にある椅子型マッサージ機に使用者が着座する動作は、脚載置部が床面から離れて椅子前部で突出状となっているために椅子前方からの着座は困難であるため、使用者は、側方から肘掛け部を乗り越えて座部に着座する必要がある。つまり、着座する際、肘掛け部が邪魔となって使用者が当該椅子型マッサージ機に着座しにくいという問題点を有している。
【０００５】
この発明は、前記問題点に鑑みてなされたものであり、脚載置部が前方へ突出した状態である場合に、着座を容易とさせることのできる椅子型マッサージ機を提供することを目的とする。
【課題を解決するための手段】
【０００６】
前記目的を達成するためのこの発明の椅子型マッサージ機は、座部と、この座部の左右両側に設けられている肘掛け部と、マッサージ機構を有すると共に前記座部の前部から前方に突出状となることができる脚載置部とを備え、前記肘掛け部の上面が前記座部の上面よりも高い位置にある状態が当該肘掛け部の通常状態とされている椅子型マッサージ機であって、前記脚載置部が前方に突出状とされた状態において、前記肘掛け部は、その上面が前記通常状態よりも低い位置となるように降下可能とされていることを特徴としている。
この構成によれば、脚載置部を前方に突出状とした椅子型マッサージ機に使用者が着座する際に、肘掛け部が通常状態ではその上面が座部の上面よりも高い位置にあるが、この構成によれば、肘掛け部の高さを低くできる。これにより、使用者は、高さを低くした肘掛け部を越して座部の上面へ着座することができ、着座動作が容易となる。つまり、脚載置部が前方に突出状とした状態では、使用者は椅子前方（正面）から座面に着座する動作が困難であるが、この構成により椅子側方からの着座動作を容易にさせる。
そして、肘掛け部が通常状態ではその上面が座部の上面よりも高い位置にあるため、脚載置部が展開状態にある椅子型マッサージ機の座部の上面に着座した使用者は、肘掛け部に肘を載置させることができる。
【０００７】
この椅子型マッサージ機において、前記脚載置部は、椅子前部に回動可能に設けられていることによって、前記座部の上方かつ前記両肘掛け部の間に収容される収容状態と、前記座部の前部から前方に突出状とされる展開状態とに変化可能とされる構成とすることができる。
この場合、脚載置部を脚のマッサージに使用しない場合には座部上方に当該脚載置部を収容することができる。そして、脚載置部を脚マッサージに使用する場合には、脚載置部が座部の前方に突出状態となるように当該脚載置部を回動させて展開し、この脚載置部の脚載置面に使用者の脚が載せることができる。これにより、省スペース化を図ることが可能な椅子型マッサージ機を構成できる。
【０００８】
また、前記脚載置部が前方に突出した状態において、前記肘掛け部は、その少なくとも前部における上面の高さ位置が前記座部の上面の高さ位置以下となるまで降下可能とされているのが好ましい。これによれば、肘掛け部の前部における上面の高さ位置が低くなり、側部前方からの着座動作が楽になる。
【０００９】
また、前記通常状態において、前記肘掛け部の少なくとも前部における上面の高さ位置は、収容状態にある前記脚載置部の上面の高さ位置以下とされているのが好ましい。これによれば、脚載置部の収容状態で肘掛け部の前部が邪魔にならず、側部前方からも容易に着座することができる。
【００１０】
また、前記肘掛け部と椅子本体部側との間にバネ部材が介在しており、当該肘掛け部は当該バネ部材の弾性力に抗して押し下げられることによって降下可能とされており、かつ、前記バネ部材の弾性力によって前記肘掛け部は前記通常状態に復帰できるようにするのが好ましい。
これによれば、肘掛け部を降下可能とさせる構成が簡単であり、かつ、降下させる動作が容易である。つまり、使用者が肘掛け部の上に乗ろうとする動作をすれば、肘掛け部に体重が作用し、その体重がバネ部材の弾性力に抗することで肘掛け部が自然に降下する。
そして、使用者が、低くなった肘掛け部の上を越えて座部上に着座すれば、肘掛け部に作用していた体重が開放され、肘掛け部はバネ部材の弾性力によって自動的に元の通常状態に復帰できる。
【００１１】
また、前記肘掛け部は前後方向に分割されて複数の肘掛けセグメントから構成されており、少なくとも一つの肘掛けセグメントが降下可能とされているのが好ましい。これによれば、肘掛け部のうち降下させる部分が小さくなり、動作する部分を軽くすることができるため、降下動作させるための構成や能力を小さくすることが可能となる。
【００１２】
また、前記肘掛け部は、その上面が前記通常状態よりも高い位置となるように上昇可能とされているのが好ましい。脚載置部が展開状態では、肘掛け部が通常状態で適切な肘掛け高さとなるが、脚載置部が収容状態では、使用者が着座する面が脚載置部の厚さぶんだけ高くなるため、肘掛け高さが低くなる（肘掛けが無くなる）。しかし、この構成によれば、脚載置部を収容状態としても肘掛け部の高さを高くすることができ、適切な肘掛け高さを得ることができる。
【００１３】
また、前記肘掛け部は前後方向に分割されて複数の肘掛けセグメントから構成されており、少なくとも一つの肘掛けセグメントが上昇可能とされているのが好ましい。これによれば、肘掛け部のうち上昇させる部分が小さくなり、動作する部分を軽くすることができるため、上昇動作させるための構成や能力を小さくすることが可能となる。
【発明の効果】
【００１４】
本発明の椅子型マッサージ機置によれば、肘掛け部が降下可能であるため、着座動作の際、肘掛け部を降下させて着座動作の邪魔になるのを防ぐことができる。そして、肘掛け部が通常状態ではその上面が座部の上面よりも高い位置にあるため、脚載置部の展開状態で、座部の上面に着座した使用者は肘掛け部に肘を載置させることができる。
【発明を実施するための最良の形態】
【００１５】
以下、この発明の実施の形態について図面を参照しながら説明する。
図１及び図３は、本発明の一実施形態である椅子型マッサージ機の斜視図であり、図２及び図４はその側面図である。
この椅子型マッサージ機は、座部１と、椅子後部に設けられている背もたれ部２と、椅子前部に設けられている脚載置部（フットレスト）３と、座部１の左右両側にそれぞれ設けられている肘掛け部４とを備えている。
座部１は、図１に示しているように、床面に載置される椅子本体部９の上部に設けられており、座部１の上面１ａを座面とすることができる。背もたれ部２は、椅子本体部９の後部において回動可能に取り付けられており、図示している起立状態から、後方へ倒れたリクライニング状態（図示せず）とすることができる。
【００１６】
脚載置部３は、使用者に対してマッサージを施すことができるマッサージ機構（図示せず）を有すると共に、椅子本体部９の前部において回動可能に取り付けられている。これにより、脚載置部３は、座部１の上方かつ両肘掛け部４の間に収容される収容状態（図３及び図４）と、座部１の前方へ突出状とされる展開状態（図１及び図２に示す）とに変化可能とされている。前記マッサージ機構としては空気の給排によって膨縮するエアセル（図示せず）などとされている。脚載置部３は展開状態で使用者の脚が載置される脚載置面３ａを有している。
【００１７】
図１と図２の展開状態は、脚載置部３の脚載置面３ａが上向きとなった状態であり、座部１の前部において当該脚載置部３が前方へ水平状に突出した状態である。この展開状態で、椅子型マッサージ機に着座した使用者は脚載置面３ａ上に脚を伸ばして載せることができ、当該脚載置面３ａにおいてマッサージ機構により脚のマッサージを受けることができる。
一方、収容状態は、脚載置面３ａが下向きとなった状態であり脚載置部３が座部１上でかつ左右の肘掛け部４間に収容された状態である。つまり、脚載置面３ａの反対側面である裏面３ｂが座面として使用される。
なお、脚載置部３が展開状態における座面、即ち座部１の上面１ａにより構成される座面を展開時座面１１とも称することとし、脚載置部３が収容状態における座面、即ち脚載置部３の脚載置面３ａと反対側である裏面３ｂにより構成される座面を収容時座面１２とも称する。
【００１８】
脚載置部３は回動可能とされて展開状態及び収容状態の両方の状態とすることができ、展開状態では、脚載置部３が床面から離れて前方へ水平突出状となっており、使用者が脚を伸ばした着座姿勢が取れる。収容状態では、収容時座面１２に使用者が着座した状態で、膝を曲げて足裏を床面に接触させることができる着座姿勢が取れる。
展開状態にある脚載置部３は、展開時座面１１に着座した（腰掛けた）使用者の左右の脚をそれぞれ収容させることができる二つの凹部１３が設けられている（図１参照）。また、図示していないが、各凹部１３の下面と両側面の各所には、空気により膨張収縮するマッサージ機構としてのエアセルが設けられており、凹部１３に配置された脚をマッサージできる。
【００１９】
この椅子型マッサージ機において、肘掛け部４の上面４ａが座部１の上面１ａよりも高い位置にある状態が、当該肘掛け部４の通常状態とされている。つまり、例えば非使用時では、肘掛け部４はこの通常状態とされている。さらに、この通常状態では、図４に示しているように、肘掛け部４の（少なくとも前部における）上面４ａが、収容状態にある脚載置部３の上面（収容時座面１２）とほぼ同じ高さとされており、さらには、肘掛け部４の（少なくとも前部における）上面４ａの高さ位置が、収容状態にある脚載置部３の上面の高さ位置以下とされているのが好ましい。これにより脚載置部３の収容状態では肘掛け部４が無い椅子を構成できる。そして、肘掛け部４が邪魔とならず、使用者は側方からも容易に着座することができる。
【００２０】
そして、この椅子型マッサージ機の肘掛け部４は、脚載置部３が前記展開状態において、肘掛け部４の上面４ａが前記通常状態よりも低い位置となるように降下可能とされており、その上面４ａは座部１の上面１ａ（展開時座面１１）とほぼ同じ高さ位置となるまで降下可能となるように構成されている。特に、脚載置部３が前記展開状態において、肘掛け部４は、その少なくとも前部における上面４ａの高さ位置が座部１の上面１ａの高さ位置以下となるまで降下可能とされているのが好ましい。
通常状態では肘掛け部４の上面４ａが展開時座面１１よりも高い位置にあるが、この構成により、脚載置部３を展開状態とした椅子型マッサージ機に使用者が着座する際に、肘掛け部４の高さを低くでき、使用者はこの低くした肘掛け部４を越して展開時座面１１へ着座することが可能となり、着座動作が容易となる。そして、肘掛け部４を通常状態として、展開時座面１１に着座した使用者は当該座面１１よりも高い位置にある肘掛け部４の上面４ａに肘を載置させることができ、楽な姿勢とできる。
【００２１】
さらに、図１と図２に示しているように、左右それぞれの肘掛け部４は座部１の前後方向の全長にわたって設けられているが、この肘掛け部４は前後方向に分割されて三つの肘掛けセグメント５，６，７から構成されており、最も前方の一つが降下可能とされている。つまり、最前の肘掛けセグメント５が降下可能とされており、この肘掛けセグメント５の上面の高さ位置が展開時座面１１の高さ位置以下となるまで降下可能とされている。なお、図示しないが本発明において、分割された肘掛けセグメントのうちの最前部分（肘掛けセグメント５）以外の部分も降下するようにしてもよく、又は、これらのうち最前部分を含んだ複数がそれぞれ独立して降下可能となるように構成してもよい。すなわち、（最前部分を含んで）少なくとも一つの肘掛けセグメントが降下可能とされている。さらに、肘掛け部４は（図示しないが）分割構造ではなくて一体ものとしてその全体が同時に降下するように構成してもよい。
なお、この肘掛け部４の分割は三分割以外に例えば前後の二分割であってもよく、またその分割は前後方向の寸法が等しくなるように等分割であってもよく、不等分割であってもよい。
【００２２】
肘掛け部４の上面４ａと展開時座面１１の高さ位置の比較、及び、肘掛け部４の上面４ａと収容時座面１２の高さ位置の比較において、肘掛け部４の上面４ａが全体として湾曲しているときは、その上面４ａのうち最も高い位置にある点を含む水平面を「上面」としている。さらに、「ほぼ同じ高さ」は、同一高さを含むのは当然であるが、小寸法だけ異なる状態も含む。つまり、図５に示しているように、肘掛け部４の上部のうち、肘掛け部４の最も高い点ｔから下方へ１０ｃｍだけ低い点ｂの高さ方向範囲Ａ内に、展開時座面１１又は収容時座面１２の高さ方向位置（最上点）がある場合、この「ほぼ同じ高さ」にあるとしている。つまり、肘掛け部４の上面４ａの最も高い点ｔと、展開時座面１１又は収容時座面１２の高さ方向位置との差が±５ｃｍの場合をほぼ同じ高さとしている。また、この「ほぼ同じ高さ」を別の観点から説明すると、床面から収容時座面１２までの高さ寸法（例えば５０ｃｍ）の１０％の値の上下範囲内（±５ｃｍ）に、収容時座面１２と肘掛け部４の上面４ａがある場合、ほぼ同じ高さとしている。また、床面から展開時座面１１までの高さ寸法の１０％の値の上下範囲内に、展開時座面１１と肘掛け部４の上面４ａがある場合、ほぼ同じ高さとしている。
【００２３】
次に、肘掛け部４を降下可能とさせる降下機構１５について説明する。図６は降下可能とされている肘掛けセグメント５と、その内側部に設けられている降下機構１５を示す斜視図であり、図７と図８はその断面図である。降下機構１５は、肘掛けセグメント５と椅子本体部９側との間に介在しているバネ部材１０を有しており、肘掛けセグメント５はこのバネ部材１０の弾性力に抗して押し下げられることによって降下可能とされており、かつ、バネ部材１０の弾性力によって肘掛け部４は前記通常状態に自動的に復帰できるように構成されている。肘掛けセグメント５に取り付けられている降下機構１５は、肘掛けセグメント５の側面の内側に形成された凹部１７内に収容された状態で椅子本体部９と連結している。これにより、降下機構１５が外から見えにくくできる。
【００２４】
さらに具体的に説明すると、降下機構１５は、椅子本体部９の取り付け部９ａに固定されるベース部材１６と、このベース部材１６に固定されて上下方向に貫通する孔１８ａを有する固定部材１８と、この孔１８ａに挿通し上端部が肘掛けセグメント５の凹部１７の上面１９に固定されている上下方向に直線状であるシャフト２０と、このシャフト２０に外嵌して前記固定部材１８と肘掛けセグメント５の凹部１７の上面１９との間に設けられているバネ部材１０としてのコイルバネと、肘掛けセグメント５に上下が固定されて前記ベース部材１６に形成した上下方向に貫通しているガイド貫通孔２１内に挿通状とされている直線状のレール部材２２とを備えている。そして、この肘掛けセグメント５に自重以外の荷重が作用していない状態、つまり、前記通常状態では、図７に示しているように、肘掛けセグメント５の上面が展開時座面１１よりも高い位置にあり、図示していないが、肘掛けセグメント５の上面が収容状態にある脚載置部３の上面（収容時座面１２）以下の高さとなるようにされている。
【００２５】
そして、肘掛けセグメント５に下方への力を作用させると、コイルバネ１０が肘掛けセグメント５の凹部１７の上面１９と固定部材１８の上面との間で圧縮されて、肘掛けセグメント５はコイルバネ１０の弾性力に抗して降下可能となる。この際、肘掛けセグメント５に固定されている前記レール部材２２は椅子本体部９側に固定されている前記ベース部材１６のガイド貫通孔２１によってガイドされて、肘掛けセグメント５はまっすぐ下方へ安定して降下できる。
このような降下機構１５の構成によれば、使用者が肘掛けセグメント５の上に乗ろうとする動作をすれば、当該肘掛けセグメント５に体重が作用し、その体重がコイルバネ１０の弾性力に抗することで自然に肘掛けセグメント５が降下する。そして、使用者が肘掛けセグメント５の上を越えて展開時座面１１上に着座すれば、肘掛けセグメント５に作用していた体重が開放され、肘掛けセグメント５はコイルバネ１０の弾性力により元の通常状態に自動的に復帰できる。
【００２６】
さらにこの椅子型マッサージ機において、図３と図４に示しているように、肘掛け部４は、その上面４ａが前記通常状態よりも高い位置へ上昇可能とされている。肘掛け部４は前述したように前後方向に分割されて３つの肘掛けセグメント５，６，７から構成されており、そのうちの中間の一つが通常状態から上昇可能とされている。つまり、中間の肘掛けセグメント６が上昇可能とされており、通常状態で肘掛けセグメント６の上面は収容時座面１２とほぼ同じ高さ（または低い位置）とされているが、上昇機構によって、肘掛けセグメント６を通常状態から上昇させることができる。
【００２７】
そして、図４に示しているように、肘掛け部４（肘掛けセグメント６）は、その上面の高さ位置が収容時座面１２に着座した使用者の肘の高さ位置に対応する高さまで上昇可能である。その高さは調整可能とされており、使用者の身長の差による肘高さ位置に対応させることができる。つまり図示しないが、上昇機構は高さ調節手段を有しており、肘掛け部４の高さ調節範囲は収容時座面１２と関連して決められている。脚載置部３の収容状態において、肘掛け部４の上面４ａは、座面として使用される脚載置部３の裏面３ｂ、即ち、収容時座面１２の高さよりも高くすることができる。つまり、図４に示す収容状態において、肘掛け部４の高さ（最大高さ位置）は、収容時座面１２の高さ（最大高さ）よりも高さ差ｈ１だけ高く調整可能である。この高さの差ｈ１は、肘掛け機能として必要な高さを考慮して１００ｍｍ〜２００ｍｍ程度に設定されるのが好ましい。
なお、この肘掛け部４の上昇は、分割された肘掛けセグメント５，６，７のうちの少なくとも一つとすることができるが、収容時座面１２に着座した使用者の肘に対応する肘掛けセグメントを上昇させている。つまり、図４において、中間部の肘掛けセグメント６を上昇可能とさせるのが好ましい。また、図示しないが、肘掛け部４が一体ものとされて、その全体が上昇可能とされてもよい。
【００２８】
さらに上昇機構について説明すると、図９に示している肘掛け部４を内側から見た場合の図のように、肘掛けセグメント６は、椅子本体部９側と固定される肘掛け本体部２７と、その上方に設けられて使用者の肘を載置させる肘掛け上部２６とを有しており、その肘掛け上部２６が固定状態にある肘掛け本体部２７に対して上昇するように構成することができる。つまり、上昇機構が有している昇降部材２８を肘掛け本体部２７に形成した凹溝に沿って昇降させて、その昇降部材２８の上部に固定している肘掛け上部２６が昇降するように構成している。これにより、上昇可能とさせている部分が小さくなり、動作させるための動力（操作力）は小さくて済み、上昇機構をコンパクトにできる。
【００２９】
また上昇機構は、前記昇降部材２８と、この昇降部材２８の一部を肘掛け本体部２７の一部に対して係合させることで当該昇降部材２８を所定の高さ位置で保持させることができるロック部（図示せず）と、このロック部の係合を解除させることができるレバー部材とを有している。レバー部材（図示せず）の操作によってロック部における昇降部材２８と肘掛け本体部２７との係合を解くことができ、昇降部材２８を肘掛け本体部２７に対して移動させ、所望の高さ位置で再びロック部材により両者の相対位置を保持させることができる。
【００３０】
さらに、図９について説明すると、椅子本体部９に固定される取り付け部９ａ（図７参照）が前後方向に長い支持部材２９とされており、この支持部材２９に肘掛け部４は取り付けられている。具体的には、最前部の肘掛けセグメント５は、支持部材２９に前記ベース部材１６が固定されており、この肘掛けセグメント５が支持部材２９に対して降下可能とされている。中間部の肘掛けセグメント６は、肘掛け本体部２７が支持部材２９に固定されており、肘掛け上部２６がこの肘掛け本体部２７に対して上昇可能とされている。そして、最後部の肘掛けセグメント７は、支持部材２９の後部に固定されている。
この肘掛け部４は、脚載置部３を収容状態とした場合にその収容時座面１２に着座する使用者の肘を支持するために上昇可能としている部分と、脚載置部３を展開状態とした場合にその展開時座面１１に着座するために肘掛け部４が邪魔とならないように降下可能としている部分とを有しており、この上昇させる部分と降下させる部分とは前後方向で異なる位置とされている。そしてこの場合に、図９に示しているように、肘掛け部４を複数の肘掛けセグメント５，６，７として構成すれば、上昇又は降下のそれぞれの動作をする専用部分に分けることができ、上昇又は降下させるための構成を簡単にすることができる。
なお、降下機構１５および上昇機構は図示する形態に限らずその他の構成であってもよい。
【００３１】
図１０と図１１は、他の椅子型マッサージ機を示す側面図であり、座部５１と、この座部５１の左右両側に設けられた肘掛け部５４と、椅子前部に回動可能に設けられている脚載置部５３と、椅子後部に回動可能に設けられている背もたれ部５２とを備えている。脚載置部５３は、マッサージ機構を有すると共に椅子前部に回動可能に設けられていることによって座部５１の上方かつ両肘掛け部５４の間に収容される収容状態と、座部５１の前方へ突出状とされる展開状態とに変化可能とされており、これは図１〜図４に示した椅子型マッサージ機の構成と同様である。また、肘掛け部５４以外のその他の構成は、図１〜図４に示した椅子型マッサージ機の構成と同様であり説明を省略する。
【００３２】
この椅子型マッサージ機が備えている肘掛け部５４は高さを変更させるための上昇機構を有しており、この上昇機構は、脚載置部５３の展開状態で、前記上面５４ａを、前記収容時座面６２の高さとほぼ同じ高さ（図１０の状態）乃至前記収容時座面６２よりも低い高さ位置にすることができ（この下がった状態を降下状態という）、脚載置部５３の収容状態では、肘掛け部５４の上面５４ａを、座面として使用される当該脚載置部５３の裏面５３ｂ（収容時座面６２）よりも高い位置に調整することができ（図１１の状態、この上がった状態を上昇状態という）。つまり、収容状態において座面となる脚載置部５３の裏面５３ｂよりも肘掛け部５４の上面５４ａを高くできるため、肘掛け部５４による肘掛け機能を発揮させることができる。さらに、展開状態では、脚載置部５３の厚みが比較的大きい場合であっても、肘掛け部５４の高さが高くなりすぎることを防止でき、適切な高さの肘掛けとできる。なお、この場合における肘掛け部５４の上面５４ａについても、図１〜図４のものと同様に、肘掛け部５４の上面５４ａが湾曲しているときは、その上面５４ａのうち最も高い位置にある点を含む水平面を「上面」としている。さらに、「ほぼ同じ高さ」は、同一高さを含むのは当然であるが、小寸法だけ異なる状態（±５ｃｍ）も含む。
【００３３】
また、この肘掛け部５４は、前記降下状態で座部５１の前後方向後部寄りの位置に存在しており、前記上昇機構によって前方斜め上方へ移動して上昇状態となるように構成されている。この上昇状態では、肘掛け部５４の前後方向中間部の水平方向位置が座部１の前後方向中間部の水平方向位置とほぼ一致し、肘掛け部５４の前後方向中間部が収容状態にある座面（収容時座面６２）に着座する使用者の肘に対応する。これによれば収容状態において、肘掛け部５４の降下状態では、肘掛け部５４が収容時座面６２の高さ以下にあり、かつ、座部５１の後部に存在しているため、当該肘掛け部５４が座部５１の側方前部分に存在していないため、使用者がこの椅子型マッサージ機の側方前部分からの着座する動作が容易となる。そして、肘掛け部５４の上昇状態では、後部側にあった肘掛け部５４が前方かつ上方へ移動するため、肘掛け部５４は適切な肘掛け位置となる。
【００３４】
さらに、この肘掛け部５４の上面５４ａの前後方向形状について説明すると、肘掛け部５４は、中央に最も高い頂部５５と、この頂部５５から前方へ向かって下傾している前方下傾部５６と、前記頂部５５から後方へ向かって下傾している後方下傾部５７とを有している。これにより、前記降下状態で頂部５５は収容時座面６２とほぼ同じ高さでかつ、座部５１の前後方向中間部よりも後方にあり、前記上昇状態で頂部５５は収容時座面６２よりも高くてかつ水平方向位置が座部５１の前後方向中間部に位置して適切な肘掛けとなる。そして、使用者は肘から先の部分を前方下傾部５６に沿って下傾姿勢で載置させることができ、楽な姿勢が取れる。
【００３５】
図１２は肘掛け部５４の構成を説明するための斜視図であり、この肘掛け部５４は、図９に示したものと同様に、椅子本体部５９（図１０参照）側と固定される肘掛け本体部６７と、その上方に設けられて使用者の肘を載置させる肘掛け上部６６とを有しており、肘掛け上部６６が肘掛け本体部６７に対して斜め前方へ上昇できるように構成されている。つまり、前記上昇機構が、後方下部から前方上部へ斜め方向を長手方向としている直線状の昇降部材６８を有しており、肘掛け本体部６７に形成した凹部６９において昇降部材６８がその長手方向に移動することで、当該昇降部材６８の上部に固定している肘掛け上部６６が斜め方向に移動できる。昇降部材６８は肘掛け上部６６の前方下傾部５６に取り付けられており、昇降部材６８は肘掛け本体部６７の内側面に形成した凹部６９内に収容された状態にあり、スライド移動可能とされている。なお、図１２は凹部６９を覆うためのカバー部材７４を外した状態である。
【００３６】
肘掛け上部６６の後方下傾部５７と肘掛け本体部６７の上面後部との間には、操作手段７１が設けられている。図１３に示しているように、この操作手段７１は、使用者の操作により位置変化可能に設けられているレバー７２と、このレバー７２の位置変化に応じて肘掛け上部６６を肘掛け本体部６７に対して移動可能とさせるための切り換え部７３とを有している。具体的に説明すると、レバー７２は後方下傾部５７の下面側において揺動可能に取り付けられており、切り換え部７３は、このレバー７２の下面側に設けられて肘掛け本体部６７の上面側に形成した孔との係合（又は図示しないが肘掛け本体部６７の上面との摩擦）によって肘掛け上部６６が肘掛け本体部６７に対して移動するのを規制することができる爪部（当接部）とされている。そして、レバー７２を操作することで、切り換え部７３における係合（又は摩擦接触）が解け、肘掛け上部６６は、肘掛け本体部６７に対してスライド移動可能となる。また、肘掛け上部６６と肘掛け本体部６７との間にバネ部材（図示せず）を設けて、レバー７２を操作して前記係合などを解くと、バネ部材の弾性力によって肘掛け上部６６が付勢されて移動するようにしてもよい。
【００３７】
なお、図１〜図４、及び、図１０と図１１のそれぞれの椅子型マッサージ機において、脚載置部３（５３）の回動と肘掛け部４（５４）の上昇機構とが連動するように構成してもよい。つまり、脚載置部３（５３）を前記展開状態から前記収容状態に向かって回動させると肘掛け部４（５４）が高くなるように作動し、脚載置部３（５３）を前記収容状態から前記展開状態に向かって回動させると肘掛け部４（５４）が低くなるように作動するように相互を連動させてもよい。これにより、脚載置部３（５３）の回動によって肘掛け部４（５４）が自動的に適切な高さ位置に移動することができるため、肘掛け部４（５４）の高さの調節の手間を省くことができる。
【００３８】
なお、図１に示した椅子型マッサージ機、及び図１０に示した椅子型マッサージ機において、脚載置部が、椅子前部に回動可能に設けられていることによって、座部の上方に収容される収容状態と、座部の前部から前方に突出状とされる展開状態とに変化可能とされている構成について説明したが、これに限らず、脚載置部が座部の前部から前方に突出状となることのできる椅子型マッサージ機に、肘掛け部の前記構成を適用することができる。つまり、図示しないが、脚載置部が椅子前部において上下回動可能に取り付けられており、脚載置部が下がって下方垂れ下がり状態となり、また、脚載置部が上がって座部の前部から前方へ突出状となることができる椅子型マッサージ機に適用することができる。
【図面の簡単な説明】
【００３９】
【図１】本発明に係る椅子型マッサージ機の実施の一形態を示す図であって、脚載置部が展開状態にある斜視図である。
【図２】図１の椅子型マッサージ機の側面図である。
【図３】図１の椅子型マッサージ機の脚載置部が収容状態にある斜視図である。
【図４】図３の椅子型マッサージ機の側面図である。
【図５】肘掛け部の高さを説明するための図である。
【図６】肘掛けセグメントと、その内側部に設けられている降下機構を示す斜視図である。
【図７】肘掛け部を通常状態としている降下機構を示す図である。
【図８】肘掛け部を降下させた状態にある降下機構を示す図である。
【図９】肘掛け部を内側から見た図である。
【図１０】他の椅子型マッサージ機を示す側面図であり、肘掛け部が降下した状態である。
【図１１】図１０の椅子型マッサージ機において、肘掛け部が上昇した状態である。
【図１２】図１０の椅子型マッサージ機における肘掛け部の斜視図である。
【図１３】操作手段を説明するための説明図である。
【符号の説明】
【００４０】
１    座部
１ａ  上面
２    背もたれ部
３    脚載置部
４    肘掛け部
４ａ  上面
５    肘掛けセグメント
６    肘掛けセグメント
７    肘掛けセグメント
９    椅子本体部
１０  バネ部材
【図１】
2007020790.tif 000003
【図２】
2007020790.tif 000004
【図３】
2007020790.tif 000005
【図４】
2007020790.tif 000006
【図５】
2007020790.tif 000007
【図６】
2007020790.tif 000008
【図７】
2007020790.tif 000009
【図８】
2007020790.tif 000010
【図９】
2007020790.tif 000011
【図１０】
2007020790.tif 000012
【図１１】
2007020790.tif 000013
【図１２】
2007020790.tif 000014
【図１３】
2007020790.tif 000015